【手続補正書】
【提出日】令和1年9月6日(2019.9.6)
【手続補正１】
【補正対象書類名】明細書
【補正対象項目名】００１５
【補正方法】変更
【補正の内容】
【００１５】
正孔輸送層１２は、不溶化する機能を有する正孔輸送性材料１２Ｍで構成されている。正孔輸送層１２の原料（材料）である正孔輸送性材料１２Ｍは、例えば、アリールアミン誘導体、トリアゾール誘導体、オキサジアゾール誘導体、イミダゾール誘導体、ポリアリールアルカン誘導体、ピラゾリン誘導体及びピラゾロン誘導体、フェニレンジアミン誘導体、アミノ置換カルコン誘導体、オキサゾール誘導体、スチリルアントラセン誘導体、フルオレノン誘導体、ヒドラゾン誘導体、スチルベン誘導体、ブタジエン化合物、ポリスチレン誘導体、トリフェニルメタン誘導体、テトラフェニルベンジン誘導体等、または、これらの組み合わせからなる材料である。正孔輸送性材料１２Ｍは、さらに、例えば、溶解性および不溶化の機能のために、その分子構造中に、可溶性基や架橋性基、又は、熱解離可溶性基などを有している。
【手続補正２】
【補正対象書類名】明細書
【補正対象項目名】００２５
【補正方法】変更
【補正の内容】
【００２５】
ＨＯＭＯ準位とＬＵＭＯ準位の測定方法
ＨＯＭＯ準位の測定法としては、例えば、大気中光電子分光法、電気化学的手法（サイクリックボルタメトリー）、又は、光電子分光法（ＰＥＳ）等が挙げられる。一方、ＬＵＭＯ準位の測定法としては、例えば、逆光電子分光法（ＩＰＥＳ）、又は、光吸収分光法により吸収端から求めたエネルギーギャップとＨＯＭＯ準位とから算出する方法等が挙げられる。また、それぞれの準位を、分子軌道法計算を用いて、ＨＯＭＯ準位及びＬＵＭＯ準位順位を算出する手法を用いてもよい。
【手続補正３】
【補正対象書類名】明細書
【補正対象項目名】００２７
【補正方法】変更
【補正の内容】
【００２７】
正孔輸送層１１２は、蒸着膜により形成された有機材料層である。正孔輸送層１１２の材料としては、例えば、アリールアミン誘導体、トリアゾール誘導体、オキサジアゾール誘導体、イミダゾール誘導体、ポリアリールアルカン誘導体、ピラゾリン誘導体及びピラゾロン誘導体、フェニレンジアミン誘導体、アミノ置換カルコン誘導体、オキサゾール誘導体、スチリルアントラセン誘導体、フルオレノン誘導体、ヒドラゾン誘導体、スチルベン誘導体、ブタジエン化合物、ポリスチレン誘導体、トリフェニルメタン誘導体、または、テトラフェニルベンジン誘導体等が用いられる。正孔輸送層１１２におけるエネルギーギャップＥｇ４は、有機発光層１１３におけるエネルギーギャップＥｇ５より広くなっている。
【手続補正４】
【補正対象書類名】明細書
【補正対象項目名】００４７
【補正方法】変更
【補正の内容】
【００４７】
電子輸送層側に発光領域がある計算その１
（光学計算その１）
発光領域のピークが有機発光層内のうち、電子輸送層が配置されている側に位置しているモデルを、式（１）のガウシアン分布を用いて計算した。ａは有機発光層内において、有機発光層と正孔輸送層との界面からの距離と、有機発光層と電子輸送層との界面から距離との比率が８：２の位置とし、σは５ｎｍとした。
【手続補正５】
【補正対象書類名】明細書
【補正対象項目名】００４９
【補正方法】変更
【補正の内容】
【００４９】
正孔輸送層側に発光領域がある計算その３
（光学計算その３）
発光領域のピークが有機発光層内のうち、正孔輸送層が配置されている側に位置しているモデルを、式（１）のガウシアン分布を用いて計算した。ａは有機発光層内において、有機発光層と正孔輸送層との界面からの距離と、有機発光層と電子輸送層との界面から距離との比率が２：８の位置とし、σは５ｎｍとした。
【手続補正６】
【補正対象書類名】明細書
【補正対象項目名】００５９
【補正方法】変更
【補正の内容】
【００５９】
以下の表４は、実施例１及び比較例１のＨＯＤ及びＥＯＤに対して５Ｖ印加したときの、実施例１及び比較例１のＨＯＤ及びＥＯＤの電流密度（単位：ｍＡ／ｃｍ２）、及び（正孔電流Ｉｈ／電子電流Ｉｅ）を評価したときの一例を表したものである。表４の上段には、実施例１のＨＯＤ及びＥＯＤの電流密度、及び（正孔電流Ｉｈ／電子電流Ｉｅ）が示されており、表４の下段には、比較例１のＨＯＤ及びＥＯＤの電流密度、及び（正孔電流Ｉｈ／電子電流Ｉｅ）が示されている。表４から、実施例１のＨＯＤの電流密度は、実施例１のＥＯＤの電流密度よりも大きく、（正孔電流Ｉｈ／電子電流Ｉｅ）が１よりも大きいことがわかる。また、表４から、比較例１のＨＯＤの電流密度は、比較例１のＥＯＤの電流密度よりも小さく、（正孔電流Ｉｈ／電子電流Ｉｅ）が１よりも小さいことがわかる。従って、実施例１では、有機発光層における正孔電流が有機発光層における電子電流よりも大きく、そのために発光領域が電子輸送層側にあると考えることができる。また、実施例１では、有機発光層が、（正孔電流Ｉｈ／電子電流Ｉｅ）の値が大きくなるに応じて、有機発光層内における発光領域の位置が、電子輸送層側に近づくように構成されているといえる。また、比較例１では、正孔電流が電子電流よりも小さく、そのために発光領域が正孔輸送層側にあると考えられる。これらの見解は、実施例１の発光領域が電子輸送層側にあり、比較例１の発光領域が正孔輸送層側にあることを支持する。このことから、塗布型有機電界発光素子では、有機発光層における正孔電流１ｈが有機発光層における電子電流Ｉｅよりも大きい、即ち（正孔電流Ｉｈ／電子電流Ｉｅ）が１よりも大きいことが好ましい。
【手続補正７】
【補正対象書類名】明細書
【補正対象項目名】００６２
【補正方法】変更
【補正の内容】
【００６２】
以下の表５は、実施例１及び比較例１のＨＯＤ及びＥＯＤに対して５Ｖの電圧を印加したときの、実施例１及び比較例１のＨＯＤ及びＥＯＤの有機発光層の移動度、及び（正孔移動度μｈ／電子移動度μｅ）を評価したときの一例を表したものである。表５の上段には、実施例１のＨＯＤ及びＥＯＤの有機発光層の移動度、及び（正孔移動度μｈ／電子移動度μｅ）が示されており、表５の下段には、比較例１のＨＯＤ及びＥＯＤの有機発光層の移動度、及び（正孔移動度μｈ／電子移動度μｅ）が示されている。表５から、実施例１のＨＯＤの有機発光層の正孔移動度は、実施例１のＥＯＤの有機発光層の電子移動度よりも大きく、（正孔移動度μｈ／電子移動度μｅ）が１よりも大きいことがわかる。また、表５から、比較例１のＨＯＤの有機発光層の正孔移動度は、比較例１のＥＯＤの有機発光層の電子移動度よりも小さく、（正孔移動度μｈ／電子移動度μｅ）が１よりも小さいことがわかる。従って、実施例１では正孔移動度が電子移動度よりも大きく、そのために発光領域が電子輸送層側にあると考えることができる。また、比較例１では、正孔移動度が電子移動度よりも小さく、そのために発光領域が正孔輸送層側にあると考えられる。これらの見解は、実施例１の発光領域が電子輸送層側にあり、比較例１の発光領域が正孔輸送層側にあることを支持する。このことから、塗布型有機電界発光素子では、正孔移動度μｈが電子移動度μｅよりも大きい、即ち（正孔移動度μｈ／電子移動度μｅ）が１よりも大きいことが好ましい。
【手続補正８】
【補正対象書類名】明細書
【補正対象項目名】００８３
【補正方法】変更
【補正の内容】
【００８３】
（表示パネル２０）
表示パネル２０は、コントローラ３０およびドライバ４０によって各画素２１がアクティブマトリクス駆動されることにより、外部から入力された映像信号Ｄｉｎおよび同期信号Ｔｉｎに基づく画像を表示する。表示パネル２０は、行方向に延在する複数の走査線ＷＳＬと、列方向に延在する複数の信号線ＤＴＬと、行方向に延在する複数の電源線ＤＳＬと、行列状に配置された複数の画素２１とを有している。